(57)【要約】      （修正有）【課題】角度回転後に撮影する時、その回転角度を測定できるだけでなく、一次撮影過程を完成するのに必要な時間を短縮できるデジタル撮影装置を提供する。【解決手段】光学モジュール、画像保存モジュール、出力／入力ポート、表示モジュール及び画像処理モジュールを具え、画像処理モジュールが、光学モジュール、画像保存モジュール、出力／入力ポート及び表示モジュールに接続され、光学モジュールの撮影した画像データが画像保存モジュール内に入力される。該デジタル撮影装置は更に角度測定モジュールとそれに接続されて角度測定モジュールが測定した角度データを保存する角度保存モジュールを具え、角度保存モジュールは更に画像処理モジュールに接続され、画像処理モジュールは角度保存モジュール内の角度データにより角度保存モジュール内の画像データに対して対応する角度処理を行い、並びに処理後の画像データを出力／入力ポートに送出する。【選択図】図５
0003112880.tif 000002
【実用新案登録請求の範囲】
【請求項１】
光学モジュール、画像保存モジュール、出力／入力ポート、表示モジュール、角度測定モジュール及び画像処理モジュールを具え、画像処理モジュールが、光学モジュール、画像保存モジュール、出力／入力ポート及び表示モジュールに接続され、光学モジュールは外部景物の画像を撮像し、角度測定モジュールは該デジタル撮影装置の回転角度を測定し、画像処理モジュールは光学モジュールの撮像した画像を処理して画像データとなす、デジタル撮影装置において、
該デジタル撮影装置は更に角度保存モジュールを具え、該角度保存モジュールは上述の角度測定モジュールに接続され、角度測定モジュールが測定したデジタル撮影装置の回転角度信号を処理して角度データとなし、並びに角度保存モジュール内に入力し、角度保存モジュールは更に画像処理モジュールに接続され、画像処理モジュールが上述の画像データを直接画像保存モジュール内に入力し、並びに角度保存モジュール内の角度データに基づき画像保存モジュール内の画像データに対して角度処理を行い、並びに処理後の画像データを出力／入力ポートに送出することを特徴とする、デジタル撮影装置。
【請求項２】
請求項１記載のデジタル撮影装置において、角度測定モジュールの測定する角度が０度、９０度、１８０度、２７０度されたことを特徴とする、デジタル撮影装置。
【請求項３】
請求項１記載のデジタル撮影装置において、角度保存モジュールと画像保存モジュールが同一保存体の二つの保存領域とされたことを特徴とする、デジタル撮影装置。
【請求項４】
光学モジュール、画像保存モジュール、出力／入力ポート、表示モジュール、角度測定モジュール、及び画像処理モジュールを包含し、画像処理モジュールはそれぞれ光学モジュール、画像保存モジュール、及び表示モジュールに接続され、光学モジュールは外部景物の画像を撮像し、角度測定モジュールは該デジタル撮影装置の回転角度を測定し、画像処理モジュールは光学モジュールの撮像した画像を処理して画像データとなす、デジタル撮影装置において、
デジタル撮影装置は更に角度保存モジュールを包含し、角度保存モジュールは上述の角度測定モジュールに接続され、角度測定モジュールが測定したデジタル撮影装置の回転角度を処理して角度データとなし、角度保存モジュール内に入力し、画像処理モジュールは上述の画像データを直接画像保存モジュール内に入力し、出力／入力ポートはそれぞれ角度保存モジュール及び画像保存モジュールに接続され、画像データ及びそれに対応する角度データを送出することを特徴とする、デジタル撮影装置。
【請求項５】
請求項４記載のデジタル撮影装置において、角度保存モジュールが更に画像処理モジュールに接続されたことを特徴とする、デジタル撮影装置。
【請求項６】
請求項４記載のデジタル撮影装置において、角度測定モジュールの測定する角度が０度、９０度、１８０度、２７０度されたことを特徴とする、デジタル撮影装置。
【請求項７】
請求項４記載のデジタル撮影装置において、角度保存モジュールと画像保存モジュールが同一保存体の二つの保存領域とされたことを特徴とする、デジタル撮影装置。
【考案の詳細な説明】
【技術分野】
【０００１】
本考案は一種のデジタル撮影装置に係り、特に撮像角度測定機能を具えたデジタル撮影装置に関する。
【背景技術】
【０００２】
現在、デジタル撮影装置、例えばデジタルカメラ、カメラ付き携帯電話等は、ますます使用者に受け入れられており、その応用もますます普及している。撮影した画像のブラウズ、保存を行なえるように、使用者は必要なコンピュータを配備することで、デジタル撮影装置の撮影した画像を保存し、並びにコンピュータディスプレイ装置上で観ることができる。
【０００３】
デジタル撮影装置はコンパクトで機動性があるため、使用者は撮影する景物によりデジタル撮影装置を異なる角度に回転させて希望する画像を獲得する。図１に示されるように、比較的大きな高さ範囲内の画像を獲得するため、使用者はデジタル撮影装置１０を９０度回転させて、垂直角度で撮影する。しかし、これは以下のような問題をもたらす。即ち、撮影した画像をコンピュータに送った後、コンピュータディスプレイ装置には図２のように横向き画像が表示される。このため、使用者はコンピュータディスプレイ装置上で撮影した画像を観る時、その視覚習慣に適応させるため、手動操作により画像を９０度回転させて直立方式で観る必要がある。ゆえにこのような状況は使用者に多くの使用上の不便を形成する。
【０００４】
上述の問題を解決するために例えば特許文献１に記載のデジタル撮影装置２０は、図３に示されるように、光学モジュール２１、画像処理モジュール２２、角度測定モジュール２３、保存モジュール２４及び出力／入力ポート２６を具えている。角度測定モジュール２３はデジタル撮影装置２０の回転撮像時の回転角度を測定するのに用いられ、画像処理モジュール２２は角度測定モジュール２３の測定した回転角度信号に基づき光学モジュール２１が撮像した画像に対して対応角度処理を行い、処理後の画像データを保存モジュール２４内に保存し、並びに画像処理モジュール２２が出力／入力ポート２６により保存モジュール２４のデジタル撮影装置を外部コンピュータ内に入力する。これにより、使用者がコンピュータディスプレイ装置上で撮影した画像を観る時、コンピュータディスプレイ装置上に直接直立の画像を表示でき、ゆえに使用者が手動操作で画像を対応角度回転させる必要がない。
【０００５】
上述のデジタル撮影装置２０の光学モジュール２１が撮像した画像に対して処理して一次撮影過程、即ち使用者がシャッターを押してから処理後の画像データを保存モジュール２２４内に保存するまでの過程、を完成するには、図４に示されるように、画像処理モジュール２２は角度測定モジュール２３が測定した角度信号に基づき光学モジュール２１が撮像した画像に対して対応する角度処理を行なわねばならない。このため角度回転後に撮像する時、この周知のデジタル撮影装置２０は一次撮影過程を完成する時間が延長されるため、次の撮影を行なうのに不便である。
【０００６】
【特許文献１】台湾特許公告第４６８３３０号明細書
【考案の開示】
【考案が解決しようとする課題】
【０００７】
本考案の目的、上述の従来の技術に存在する欠点に対して一種のデジタル撮影装置を提供することにあり、それは、角度回転後に撮影する時、該デジタル撮影装置がその回転角度を測定できるだけでなく、一次撮影過程を完成するのに必要な時間を短縮できるものとする。
【課題を解決するための手段】
【０００８】
請求項１の考案は、光学モジュール、画像保存モジュール、出力／入力ポート、表示モジュール、角度測定モジュール及び画像処理モジュールを具え、画像処理モジュールが、光学モジュール、画像保存モジュール、出力／入力ポート及び表示モジュールに接続され、光学モジュールは外部景物の画像を撮像し、角度測定モジュールは該デジタル撮影装置の回転角度を測定し、画像処理モジュールは光学モジュールの撮像した画像を処理して画像データとなす、デジタル撮影装置において、
該デジタル撮影装置は更に角度保存モジュールを具え、該角度保存モジュールは上述の角度測定モジュールに接続され、角度測定モジュールが測定したデジタル撮影装置の回転角度信号を処理して角度データとなし、並びに角度保存モジュール内に入力し、角度保存モジュールは更に画像処理モジュールに接続され、画像処理モジュールが上述の画像データを直接画像保存モジュール内に入力し、並びに角度保存モジュール内の角度データに基づき画像保存モジュール内の画像データに対して角度処理を行い、並びに処理後の画像データを出力／入力ポートに送出することを特徴とする、デジタル撮影装置としている。
請求項２の考案は、請求項１記載のデジタル撮影装置において、角度測定モジュールの測定する角度が０度、９０度、１８０度、２７０度されたことを特徴とする、デジタル撮影装置としている。
請求項３の考案は、請求項１記載のデジタル撮影装置において、角度保存モジュールと画像保存モジュールが同一保存体の二つの保存領域とされたことを特徴とする、デジタル撮影装置としている。
請求項４の考案は、光学モジュール、画像保存モジュール、出力／入力ポート、表示モジュール、角度測定モジュール、及び画像処理モジュールを包含し、画像処理モジュールはそれぞれ光学モジュール、画像保存モジュール、及び表示モジュールに接続され、光学モジュールは外部景物の画像を撮像し、角度測定モジュールは該デジタル撮影装置の回転角度を測定し、画像処理モジュールは光学モジュールの撮像した画像を処理して画像データとなす、デジタル撮影装置において、
デジタル撮影装置は更に角度保存モジュールを包含し、角度保存モジュールは上述の角度測定モジュールに接続され、角度測定モジュールが測定したデジタル撮影装置の回転角度を処理して角度データとなし、角度保存モジュール内に入力し、画像処理モジュールは上述の画像データを直接画像保存モジュール内に入力し、出力／入力ポートはそれぞれ角度保存モジュール及び画像保存モジュールに接続され、画像データ及びそれに対応する角度データを送出することを特徴とする、デジタル撮影装置としている。
請求項５の考案は、請求項４記載のデジタル撮影装置において、角度保存モジュールが更に画像処理モジュールに接続されたことを特徴とする、デジタル撮影装置としている。
請求項６の考案は、請求項４記載のデジタル撮影装置において、角度測定モジュールの測定する角度が０度、９０度、１８０度、２７０度されたことを特徴とする、デジタル撮影装置としている。
請求項７の考案は、請求項４記載のデジタル撮影装置において、角度保存モジュールと画像保存モジュールが同一保存体の二つの保存領域とされたことを特徴とする、デジタル撮影装置としている。
【考案の効果】
【０００９】
本考案のデジタル撮影装置は角度保存モジュールに角度データを保存し、及び画像保存モジュールに直接画像データを保存することにより、使用者がデジタル撮影装置を回転させて撮影する時、該デジタル撮影装置は角度測定モジュールにより得られた角度データに基づき光学モジュールが撮像した画像に対して対応する角度処理を行なう必要がなく、画像データに対する角度処理過程が不要である。ゆえに、角度回転後に撮影する時、本考案のデジタル撮影装置は一次撮影過程に必要な時間を短縮でき、使用者がタイミング良く次の撮影を行なうのに便利である。
【考案を実施するための最良の形態】
【００１０】
上述の目的を達成するため、本考案は一種のデジタル撮影装置を提供し、それは、光学モジュール、画像保存モジュール、出力／入力ポート、表示モジュール、角度測定モジュール、画像処理モジュールを具え、画像処理モジュールが、光学モジュール、画像保存モジュール、出力／入力ポート及び表示モジュールに接続され、光学モジュールは外部景物の画像を撮像し、角度測定モジュールは該デジタル撮影装置の回転角度を測定し、画像処理モジュールは光学モジュールの撮像した画像を処理して画像データとなす。該デジタル撮影装置は更に角度保存モジュールを具え、該角度保存モジュールは上述の角度測定モジュールに接続され、角度測定モジュールが測定したデジタル撮影装置の回転角度信号を処理して角度データとなし、並びに角度保存モジュール内に入力し、角度保存モジュールは更に画像処理モジュールに接続され、画像処理モジュールが上述の画像データを直接画像保存モジュール内に入力し、並びに角度保存モジュール内の角度データに基づき画像保存モジュール内の画像データに対して角度処理を行い、並びに処理後の画像データを出力／入力ポートに送出する。
【００１１】
上述の目的を達成するため、本考案はまた別のデジタル撮影装置を提供し、それは光学モジュール、画像保存モジュール、出力／入力ポート、表示モジュール、角度測定モジュール、及び画像処理モジュールを包含する。画像処理モジュールはそれぞれ光学モジュール、画像保存モジュール、及び表示モジュールに接続されている。そのうち、光学モジュールは外部景物の画像を撮像し、角度測定モジュールは該デジタル撮影装置の回転角度を測定し、画像処理モジュールは光学モジュールの撮像した画像を処理して画像データとなす。デジタル撮影装置は更に角度保存モジュールを包含し、角度保存モジュールは上述の角度測定モジュールに接続され、角度測定モジュールが測定したデジタル撮影装置の回転角度を処理して角度データとなし、角度保存モジュール内に入力する。画像処理モジュールは上述の画像データを直接画像保存モジュール内に入力する。出力／入力ポートはそれぞれ角度保存モジュール及び画像保存モジュールに接続され、画像データ及びそれに対応する角度データを送出する。
【実施例１】
【００１２】
図５は本考案のデジタル撮影装置３０の第１実施例を示す。本実施例中、デジタル撮影装置３０は光学モジュール３１、画像処理モジュール３２、角度測定モジュール３３、角度保存モジュール３４、画像保存モジュール３５、出力／入力ポート３６及び表示モジュール３７を包含する。
【００１３】
光学モジュール３１は画像処理モジュール３２と接続され、並びに画像処理モジュール３２の制御下で外部景物の画像を撮像する。画像処理モジュール３２は光学モジュール３１の撮像した画像を処理して画像データとなし、並びに直接画像データを画像処理モジュール３２に接続された画像保存モジュール３５内に保存し、これは図６に示されるとおりである。
【００１４】
角度測定モジュール３３は角度測定装置（図示せず）、例えば重力測定装置を具え、画像撮影時にデジタル撮影装置３０の水平方向放置時（図１０）に対する回転角度を測定する。設計の簡易化と使用者の使用習慣に適応するため、該角度測定モジュール３３が測定する角度は通常０度、９０度、１８０度２７０度とされる。シャッターが押された後、角度測定モジュール３３は角度測定装置の測定した回転角度信号を処理して角度データとなし、例えばデジタル撮影装置３０の角度が０度に接近する時、角度測定モジュール３３は角度信号を処理して角度データ０となし、９０度に接近する時、角度測定モジュール３３は角度信号を処理して角度データ１となし、１８０度に接近する時、角度測定モジュール３３は角度信号を処理して角度データ２となし、２７０度に接近する時、角度測定モジュール３３は角度信号を処理して角度データ３となす。その後、角度測定モジュール３３は処理後の撮影画像に対応する角度データを角度測定モジュール３３に接続された角度保存モジュール３４内に保存する。上述の操作ステップは図７に示されるとおりである。
【００１５】
図８も併せて参照されたい。角度保存モジュール３４は更に画像処理モジュール３２に接続され、使用者がデジタル撮影装置３０で撮影した画像を外部コンピュータ４０に送る時、画像処理モジュール３２は角度保存モジュール３４の角度データに基づき、画像保存モジュール３５内の画像に対して対応する角度処理を行い、その後、画像処理モジュール３２に接続された出力／入力ポート３６を通して処理後の画像データを外部コンピュータ４０内に入力する。この時、外部コンピュータ４０処理モジュール４１の制御下で、受け取った画像データを保存装置４２内に保存し、並びにその保存する画像は処理モジュール４１の制御下で、自動的に使用者の視覚習慣に符合する方式で表示装置４３上に表示される。これにより使用者は手動で画像を対応する角度に回転させる必要がなく、使用者が撮影した画像を観るのに便利である。
【００１６】
図５、９を参照されたい。表示モジュール３７と画像処理モジュール３２は接続され、表示モジュール３７はＬＣＤ３８を具えている。使用者がＬＣＤ３８上で撮影した画像を観る時、画像処理モジュール３２は先に角度保存モジュール３４内の角度データを読み取り、その後、角度データに基づき画像保存モジュール３５内の画像データに対して対応角度処理を行なった後に表示モジュール３７に送り、表示モジュール３７のＬＣＤ３８が既に対応角度を回転させられた後の画像を表示する。
【００１７】
このほか、本実施例の角度保存モジュール３４と画像保存モジュール３５は同一の保存体の二つの保存領域とされてもよく、例えばＳＤカードの保存領域が二つの部分に分けられて、一方が角度データを保存し、もう一方が画像データを保存するものとされてもよい。
【００１８】
以上から分かるように、本考案のデジタル撮影装置３０は撮影過程中に、角度保存モジュール３４が角度データを保存し、画像保存モジュール３５が直接画像データを保存する。これにより、使用者がデジタル撮影装置３０を角度回転させて撮影する時、該デジタル撮影装置３０は角度測定モジュール３３が測定した角度信号に基づき光学モジュール３１が撮像した画像に対して対応する角度処理を行なわなくともよく、これによりデジタルデータの角度処理過程を省略でき、ゆえに角度回転後に撮影する時、本考案のデジタル撮影装置３０は一次撮影過程完成に必要な時間を短縮でき、使用者がタイミングよく次の撮影を行なうのに便利である。
【００１９】
しかし、本考案の第１実施例のデジタル撮影装置３０はその撮影した画像を表示モジュール３７のＬＣＤ３８上に表示する時、ＬＣＤ３８が表示する画像は対応角度回転させられるため、画像はＬＣＤ３８の中央部に表示され、ＬＣＤ３８の両側には画像を表示できず、これは図１０に示されるとおりである。ゆえに、このような表示方式は十分にＬＣＤ３８の表示面積を利用できず、ＬＣＤ３８の表示する画像が比較的小さくなり、使用者がデジタル撮影装置３０のＬＣＤ３８上で撮影した画像を観るのに不便である。
【実施例２】
【００２０】
図１１は第１実施例の欠点を克服する本考案の第２実施例を示し、上述の第１実施例の表示モジュール上に画像表示する時の画像処理フローを改良した実施例である。使用者が表示モジュール３７のＬＣＤ３８上で画像を観る時、画像処理モジュール３２は直接画像保存モジュール３５内の画像データを読み取り、並びにそれを表示モジュール３７のＬＣＤ３８に送り原角度で表示する（図１の如し）。ゆえに本実施例のデジタル撮影装置３０は十分に表示モジュール３７のＬＣＤ３８の表示面積を利用し、使用者がＬＣＤ３８で明晰な撮影画像を観ることができる。
【実施例３】
【００２１】
図１２は本考案のデジタル撮影装置３０の第３実施例を示す。本実施例は図５の実施例と類似するが、その異なるところは、出力／入力ポート３６’がそれぞれ角度保存モジュール３４’及び画像保存モジュール３５’と接続され、画像処理モジュール３２と接続されないことにある。
【００２２】
本実施例では、外部コンピュータ４０が出力／入力ポート３６’を通して画像保存モジュール３５’内に保存された画像データ及び角度保存モジュール３４’に保存された該画像データに対応する角度データを読み取る。外部コンピュータ４０の処理モジュール４１が角度データに基づき読み取った画像データに対応する角度処理を行い、並びに処理後の画像データを保存装置４２内に保存する。これにより、使用者は外部コンピュータ４０の表示装置４３上で撮影した画像を観る時、表示装置４３が直接使用者の視覚習慣に符合する画像を表示する。
【００２３】
使用者がＬＣＤ３８上で撮影した画像を観る時、本実施例の画像処理過程は第１実施例の画像処理過程と同じであり、画像処理モジュール３２が角度保存モジュール３４’内の角度データを読み取り、並びに角度データに基づき画像保存モジュール３５’内の画像データに対して対応する角度処理を行なった後に表示モジュール３７のＬＣＤ３８に送り表示する。
【実施例４】
【００２４】
図１３は本考案のデジタル撮影装置３０の第４実施例を示す。本実施例は図１２の実施例に類似するが、その異なるところは、角度保存モジュール３４”が画像処理モジュール３２と未接続とされることである。これにより、使用者がＬＣＤ３８で撮影した画像を観る時、画像処理モジュール３２は直接画像保存モジュール３５’内の画像データを読み取り、並びにそれを表示モジュール３７のＬＣＤ３８に送り表示し、ゆえに、本実施例のデジタル撮影装置３０は十分に表示モジュール３７のＬＣＤ３８の表示面積を利用し、使用者はＬＣＤ３８上で撮影された明晰な画像を観ることができる。
総合すると、本考案のデジタル撮影装置３０は以上に記載の構造により、上述の機能を達成し、且つ本考案は実用新案登録の要件に符合する。なお、以上の実施例は本考案の実施範囲を限定するものではなく、本考案に基づき成し得る細部の修飾或いは改変は、いずれも本考案の請求範囲に属するものとする。
【図面の簡単な説明】
【００２５】
【図１】使用者が垂直角度で周知のデジタル撮影装置を使用する時の表示図である。
【図２】図１のデジタル撮影装置が撮影した画像を外部コンピュータに入力する時、外部コンピュータが表示する画像の表示図である。
【図３】別の周知のデジタル撮影装置の基本構造のブロック図である。
【図４】図３のデジタル撮影装置の撮影処理のフローチャートである。
【図５】本考案のデジタル撮影装置の第１実施例の基本構造のブロック図である。
【図６】図５のデジタル撮影装置の撮影処理のフローチャートである。
【図７】図５のデジタル撮影装置の角度処理のフローチャートである。
【図８】図５のデジタル撮影装置が画像を外部コンピュータに送る時の画像処理のフローチャートである。
【図９】図５のデジタル撮影装置が画像を表示モジュールに表示する時の画像処理のフローチャートである。
【図１０】図５のデジタル撮影装置が垂直角度で撮影し更に水平方向に置く時、デジタル撮影装置のＬＣＤの表示する画像の表示図である。
【図１１】本考案の第２実施例の画像を表示モジュール上に表示する時の画像処理フローチャートである。
【図１２】本考案の第３実施例の基本構造のブロック図である。
【図１３】本考案の第４実施例の基本構造のブロック図である。
【符号の説明】
【００２６】
１０、２０、３０  デジタル撮影装置
２１、３１  光学モジュール
２２、３２  画像処理モジュール
２３  角度測定モジュール
２４  保存モジュール
２６、３６、３６’  出力／入力ポート
３４、３４’、３４”  角度保存モジュール
３３  角度測定モジュール
３５、３５’  画像保存モジュール
３７  表示モジュール
３８  ＬＣＤ
４０  外部コンピュータ
４１  処理モジュール
４２  保存装置
４３  表示装置
【図１】
0003112880.tif 000003
【図２】
0003112880.tif 000004
【図３】
0003112880.tif 000005
【図４】
0003112880.tif 000006
【図５】
0003112880.tif 000007
【図６】
0003112880.tif 000008
【図７】
0003112880.tif 000009
【図８】
0003112880.tif 000010
【図９】
0003112880.tif 000011
【図１０】
0003112880.tif 000012
【図１１】
0003112880.tif 000013
【図１２】
0003112880.tif 000014
【図１３】
0003112880.tif 000015